(57)【要約】【課題】文字多重放送受信装置において、省エネ性を損なうことなく、迅速に目的の番組情報を選択可能な技術を提供する。【解決手段】稼働開始に伴い、積算時間のカウントが開始される（Ｓ１０１）。次いで、現在時刻の判定が行われる（Ｓ１０２）。時間帯が２２：００から６：００の場合には積算時間が３時間以上経過したか（Ｓ１０３）、その他の時間帯の場合には１時間以上経過したか（Ｓ１０４）が判定される。所定の時間経過していない場合には時間積算が継続される（Ｓ１０８又は１０９）。所定の時間経過している場合は文字放送の受信が行われ（Ｓ１０５）、さらに取得した文字情報のメモリ部２６への格納が行われる（Ｓ１０６）。格納終了後、時間積算が継続される（Ｓ１０７）。【選択図】図５
2005123838.tif 000002
【特許請求の範囲】
【請求項１】
文字多重放送に含まれる文字情報を番組ごとに格納する記憶手段と、
格納された文字情報の更新を所定の時間間隔で行う更新手段と、
表示要求に応じて、要求された番組の文字情報を前記記憶手段から呼び出して表示する表示手段と、
を備えて成ることを特徴とする文字多重放送受信装置。
【請求項２】
前記時間間隔が時間帯ごとに異なるように構成したことを特徴とする請求項１に記載の文字多重放送受信装置。
【請求項３】
前記表示手段は、表示要求に応じて、前記時間間隔に関わらず、格納されている文字情報の表示を優先して行うことを特徴とする請求項１又は２に記載の文字多重放送受信装置。
【請求項４】
請求項１乃至３において、さらに、所望の番組情報を優先的に表示可能にするための登録手段を備えて成ることを特徴とする文字多重放送受信装置。
【請求項５】
請求項１乃至４に記載の文字多重放送受信装置を搭載したことを特徴とする熱源機遠隔操作用リモコン装置。
【発明の詳細な説明】
【技術分野】
【０００１】
本発明は、文字多重放送受信装置に係り、特に熱源機遠隔操作用リモコン装置に好適な文字多重放送受信装置に関する。
【背景技術】
【０００２】
近年、ＦＭラジオ放送信号等の多重化による文字多重放送が実用化されており、文字放送専用の受信装置も実用化されている。さらに、給湯器等、家庭用熱源機のリモコン装置に文字情報受信・表示機能を搭載するシステムも提案されている（例えば、特許文献特開２００１−１５７２７４号公報）。文字放送の場合には音声放送と異なり、ユーザは受信開始後瞬時に所望の情報を得ることはできず、受信状況、要求コンテンツ量によっては最大５分間程度も待機しなければならないケースが生じている。このような待機問題を回避する方法として、常時、文字放送を受信状態にするという技術が開示されている（例えば、特許文献特開平１０−２２９５８５号公報）。
【０００３】
しかしながら、常時受信では装置の消費電力が大きくなり、特に家庭用熱源機遠隔操作用リモコン装置のように、省エネ性の観点から常時通電を想定していない機器の場合には問題がある。
【０００４】
さらに、番組の選択に関しても、従来の文字情報の表示は、図４に示すように最初に番組メニューが表示され、ユーザが連続的に切替キーを押しながら目的の番組情報を選択するようになっている。このため、特定の番組を早く見たい場合であっても、常に切替キーを一定回数押さなければ目的情報に辿り着けないというケースが生じる。このような番組選択については、カーナビゲーション装置に関して、受信した文字情報の中から所望の文字情報に対する検索語と検索論理を設定することにより、迅速に所望の情報を得ようとする技術が開示されている（例えば、特許文献特開２００２−３１８８１６号公報）。
【０００５】
しかし、この技術は、事前登録した検索キーワードの中から所望の文字情報を選択するものであり、放送番組の変更や追加があった場合には、新たに登録しない限り所望の情報に辿り着くことができない。また、構成上、文字情報の入力が困難な熱源機のリモコン装置等については、この技術を利用することは実質的に不可能であるという問題がある。
【特許文献１】特開２００１−１５７２７４号公報
【特許文献２】特開２００２−３１８８１６号公報
【特許文献３】特開平１０−２２９５８５号公報
【発明の開示】
【発明が解決しようとする課題】
【０００６】
本発明は、このような問題を解決するためのものであって、文字多重放送受信装置において、省エネ性を損なうことなく、迅速に目的の番組情報を選択可能な技術を提供するものである。
【課題を解決するための手段】
【０００７】
本発明は以下の内容をその要旨とする。すなわち、
（１）文字多重放送に含まれる文字情報を番組ごとに格納する記憶手段と、格納された文字情報の更新を所定の時間間隔で行う更新手段と、表示要求に応じて、要求された番組の文字情報を前記記憶手段から呼び出して表示する表示手段と、を備えて成ることを特徴とする文字多重放送受信装置。
【０００８】
「文字多重放送」の種類としては、ＦＭ文字多重放送、ＢＳ又は地上波ＴＶ文字多重放送等がある。
【０００９】
ここにいう「番組」とは、無料番組・有料番組を問わず各番組の文字情報単位をいう。
【００１０】
文字情報の更新を「所定の時間間隔」で行うことにより、受信装置を常時通電にすることなく、受信のための定められた時刻にのみ通電することが可能となる。時間間隔は、番組の情報更新インターバルに合わせることができる。
【００１１】
（２）前記時間間隔が時間帯ごとに異なるように構成したことを特徴とする上記（１）に記載の文字多重放送受信装置。
【００１２】
このような構成にすることにより、昼間と夜間の時間帯で受信間隔を異なならしめることができる。
【００１３】
（３）前記表示手段は、表示要求に応じて、前記時間間隔に関わらず、格納されている文字情報の表示を優先して行うことを特徴とする上記（１）又は（２）に記載の文字多重放送受信装置。
【００１４】
このような構成にすることにより、ユーザの情報表示要求時には、記憶手段に格納されている番組情報をすぐに表示し、並行してリアルタイム受信を行い、情報の上書きをすることができる。
【００１５】
（４）上記（１）乃至（３）において、さらに、所望の番組情報を優先的に表示可能にするための登録手段を備えて成ることを特徴とする文字多重放送受信装置。
【００１６】
本発明によれば、ユーザは格納されている全番組情報を順番に表示させていき、気に入った番組情報が表示されたときに、これを登録することができる。このようにすれば、次回以降は当該番組情報を直ちに表示させることができる。
【００１７】
（５）上記（１）乃至（４）に記載の文字多重放送受信装置を搭載したことを特徴とする熱源機遠隔操作用リモコン装置。
【００１８】
ここに、「熱源機」の熱源としては、ガス、電気、灯油等が一般的である。このうち、ガス・灯油式の代表的な機種としては、給湯器、給湯暖房機、給湯付風呂釜等があり、電気式としては電気温水器等がある。
【発明の効果】
【００１９】
上記各発明では、文字情報の更新を「所定の時間間隔」で行うこととしたため、受信装置を常時通電にする必要がなく、省エネ性に優れた装置を実現することができる。
【００２０】
（２）の発明によれば、例えば昼間と夜間の時間帯で番組の情報更新インターバルが異なる場合等に、さらに省エネ性を向上させることが可能となる。
【００２１】
特に（３）の発明によれば、例えば朝の忙しいときに、ユーザが迅速に天気予報情報を確認し、次いで更新された最新情報を確認することも可能となる。
【００２２】
特に（４）の発明によれば、番組の変更や追加があった場合も、ユーザは格納されている全番組情報の中からこれらを見つけることができるため、優先表示番組情報の変更等が容易にできるという効果がある。
【００２３】
特に（５）の発明によれば、受信装置を熱源機に付属する遠隔操作用リモコン装置に搭載するため、以下のような効果が生じる。
【００２４】
一般に熱源機のリモコン装置は浴室、洗面所、台所等、ユーザが一定時間滞在する場所に設置されることが多く、リモコン装置の表示部に文字情報を表示させることにより、ユーザは迅速な情報の取得が可能となる。
【発明を実施するための最良の形態】
【００２５】
以下、本発明に係る文字多重放送受信装置の実施形態について、図１乃至８を参照してさらに詳細に説明する。なお、重複を避けるため、各図において同一構成には同一符号を用いて示している。
【００２６】
なお、本発明の範囲は特許請求の範囲記載のものであって、以下の実施形態に限定されないことはいうまでもない。
【００２７】
図１は、本発明の一実施形態に係る文字多重放送受信装置を備えた熱源機遠隔操作システム１の全体概要を示したものである。本実施形態ではＦＭ文字多重放送電波を利用したシステムを想定している。同図において、熱源機遠隔操作システム１は、住戸７の外部に設置されるガス給湯器６（熱源機）、給湯器６の運転制御を行う制御部１２、住戸７の部屋７ａ及び７ｂにそれぞれ設置され、ガス給湯器６の遠隔操作を行うリモコン装置４、５を備えている。給湯器６とリモコン装置４、５間の信号授受は２芯ケーブル８、９を介して行われる。リモコン装置４、５には、それぞれ制御部１０、１１が搭載されている。リモコン装置４にはＦＭ文字多重放送電波受信用アンテナ３が付設されている。
【００２８】
図２は、リモコン装置４及び制御部１０の制御ブロック図を示すものである。リモコン装置４は、装置全体の制御を行うＣＰＵ２４、アンテナ３を介して取り込まれるＦＭ放送電波を受信する受信部２１、ＦＭ放送電波から文字情報を分離する文字情報分離部２２、ＣＰＵ２４に付随するＲＯＭ、ＲＡＭ等からなるメモリ部２６、ユーザの要求する文字情報番組を表示する表示部２７、水晶発振子（図示せず）を有し、基準クロックを発生させる時計部２５、ユーザが適宜番組を選択する操作２９により構成されている。メモリ部２６のＲＯＭ部には各制御ブロック間の通信制御や表示制御等のためのプログラムが搭載されており、またＲＡＭ部には受信した文字情報を後述のように格納するための記憶部が構成されている。なお、同図では、ＦＭ文字多重放送電波に含まれる文字情報番組の取得及び表示に関する制御部分のみを示しており、他の機能、例えば給湯器６の遠隔制御機能やＦＭ音声受信機能等に係る構成については省略してある。
【００２９】
図３は、リモコン装置４の外観図を示したものである。リモコン装置４は、表示部２７、操作部２６に該当する運転キー３１、音声／文字放送切替キー３２、番組選択キー群３４を備えている。番組選択キー群３４の各キーを適宜選択することにより、後述するチャンネル切替、番組内容切替、優先表示登録・選択等が可能となるよう構成されている。リモコン装置４は、これ以外にも給湯制御等のためのキーをも備えているが、ここでは図示を省略する。
【００３０】
制御部１０における文字情報の取得は以下のように行われる。受信アンテナ３を介して取り込まれたＦＭ文字多重放送電波は、チューナー、復調回路等から構成される受信部２１に送られる。受信部２１において復調されたＦＭ信号は、さらに復号回路、復号に際しての誤り訂正回路等から構成される分離部２２に送られ、文字多重放送電波信号中の文字情報が分離される。
【００３１】
分離された文字時刻情報は、ＣＰＵ２４により解読され、さらに番組ごとにメモリ部２６ＲＡＭ部の指定アドレスに格納される。文字情報データは、ＤＡＲＣ方式フォーマットに従って送信され、ＣＰＵ２４は送信されるデータの番組種別、データ量等を解読して、予め定められたアドレスに格納するよう指示する。
【００３２】
図８は、メモリ部２６への文字情報データの格納形態を概念的に示した図である。同図において、アドレス００１乃至００６は番組Ａのデータ格納領域であり、アドレス００７乃至０１９は番組Ｂ（天気予報）のデータ格納領域となっている。
【００３３】
なお、データ格納のためのアドレス指定は上記のものに限られず、例えば、番組メニューと情報内容とを分割して格納する形態等、種々の形態を採用することができる。
【００３４】
本実施形態における文字情報の表示部２７への表示は、以下の通り行われる。図４は、ユーザから文字情報の表示要求があったときの表示画面への表示例を示すものである。ユーザが番組選択キー群３４の所定キーを押すと、ＣＰＵ２４からの指令に基づいてメモリ部２６の所定のアドレスから該当番組の文字情報が呼び出され、表示部２７に図４（ａ）のような番組目次が表示される。次に、ユーザがキーを押して、例えば天気予報（３）を選択すると、図４（ｂ）のように天気予報（３）に該当する文字情報が表示される。
【００３５】
次に、図５を参照して本実施形態における時間帯別の文字情報受信のフローについて説明する。本実施形態では夜間は３時間間隔、その他の時間帯では１時間間隔で文字情報の受信を行う例を示す。稼働開始に伴い、積算時間のカウントが開始される（Ｓ１０１）。次いで、現在時刻の判定が行われる（Ｓ１０２）。時間帯が２２：００から６：００の場合には積算時間が３時間以上経過したか（Ｓ１０３）、その他の時間帯の場合には１時間以上経過したか（Ｓ１０４）が判定される。所定の時間経過していない場合には時間積算が継続される（Ｓ１０８又は１０９）。所定の時間経過している場合は文字放送の受信が行われ（Ｓ１０５）、さらに取得した文字情報のメモリ部２６への格納が行われる（Ｓ１０６）。格納終了後、時間積算が継続される（Ｓ１０７）。
【００３６】
次に、図６を参照して本発明の第二の実施形態である、ユーザからの番組表示要求があったときに、文字情報の格納に優先して当該番組の表示を行う形態について説明する。本実施形態は、特に請求項３に係るものである。本実施形態の各部の構成及び機能については、第一の実施形態と同一であるので図示及び説明を省略する。
【００３７】
図６において、制御が開始に伴いユーザからの番組表示要求があるか否かがが判定される（Ｓ２０１）。表示要求がない場合には直ちに番組の受信が開始され（Ｓ２０４）、次いで受信した番組データはメモリ部２６の指定アドレスに格納される（Ｓ２０５）。そして、次の番組要求があるまで待機となる（Ｓ２０６）。
【００３８】
表示要求がある場合には、要求された番組が指定アドレスから呼び出され（Ｓ２０２）、さらに番組情報内容が表示部２７に表示される。表示終了後、番組の受信が開始される（Ｓ２０４）。その後のフローは、上述の表示要求がない場合と同一であるので、以下説明を省略する。このようにして、ユーザからの番組表示要求への優先対応が可能となる。
【００３９】
次に、図４及び７を参照して、本発明の第三の実施形態について説明する。本実施形態は、特に請求項４に係るものである。本実施形態が上述の各実施形態と異なるのは、優先表示の登録を行う点である。本実施形態の各部の構成及び機能については他の実施形態と同一であるので、図示及び説明を省略する。ユーザが文字放送の表示要求キー（図示せず）を押すことにより、文字放送全チャンネルの目次が表示される（Ｓ３０１）。図４（ａ）はそのような表示画面の例を示したものである。
【００４０】
次に、後述する優先表示番組の選択がなされたか否かが判定される（Ｓ３０２）。ユーザが後述する優先表示番組を選択したときは、該当する番組の文字情報が表示される（Ｓ３０３）。
【００４１】
ユーザが優先表示番組の選択を行わず、図４（ａ）のチャンネルの中からいずれかの選択すると、そのチャンネルの番組情報が表示される（Ｓ３０１）。例えば、チャンネル３の天気予報を選択した場合、画面には図８（ｂ）に示すように最初に東京都の天気予報情報が表示され、ユーザが切替キーを押すごとに各地方の予報情報が順次表示されることになる（図４（ｂ）乃至（ｄ））。
【００４２】
ユーザが特定番組情報を優先的に表示することを希望するときは、各番組情報が順次表示されている状態で登録キーを押すことにより、その番組が優先表示番組として登録される（Ｓ３０７）。登録は、例えば当該アドレスに所定のフラグを設けることにより行うようにしてもよい。優先表示登録されると、次回からはその情報が優先的に表示される（Ｓ３０３）。例えば、図４（ｄ）の千葉県の天気予報情報を最先に表示させたい場合、優先表示登録することにより次回以降、他県情報をスキップして最先に表示させることが可能になる。
【００４３】
優先表示要求がない場合は次のステップに進み、表示終了要求があるときは、文字放送の表示を終了する（Ｓ３０９）。終了要求がない場合は、さらにチャンネルの切替選択があるまでその状態で待機する（Ｓ３１０）。
【００４４】
なお、本実施形態では、優先表示の選択は該当するキー操作で行う態様としたが、これに限らずタッチ方式により選択するようにしてもよい。
【００４５】
また、上記各実施形態では、ＦＭ文字多重放送電波はＦＭアンテナ３から取り込まれリモコン装置４に伝送される形態としたが、これに限らずＦＭアンテナを給湯器６に付設し、ケーブル９を介してリモコン装置４に伝送する形態とすることも可能である。
【００４６】
さらに、本実施形態では電波受信のためにＦＭ受信アンテナを用いた例を示したが、これに限らずＴＶ／ＦＭ共用アンテナであってもよい。さらに、ＣＡＴＶ方式やマンション等の共同受信アンテナ方式を用いることもできる。
【産業上の利用可能性】
【００４７】
本発明は、文字多重放送受信装置、特に熱源機遠隔操作用リモコン装置に搭載する文字多重放送受信装置に好適に適用可能である。
【図面の簡単な説明】
【００４８】
【図１】本発明の第一の実施形態に係る文字多重放送受信装置を備えた熱源機遠隔操作システム１の全体概要を示す図である。
【図２】リモコン装置４及び制御部１０の制御ブロックを示す図である。
【図３】リモコン装置４の外観を示す図である。
【図４】文字情報の表示例を示した図である。
【図５】第一の実施形態における時間帯別文字情報受信フローを示す図である。
【図６】第二の実施形態において、ユーザから文字情報の表示要求があったときの制御フローを示す図である。
【図７】第二の実施形態における特定番組優先表示登録のフローを示す図である。
【図８】メモリ部２６における文字情報データの格納方法を概念的に示した図である。
【符号の説明】
【００４９】
１ ・・・熱源機遠隔操作システム
３ ・・・受信アンテナ
４，５ ・・・リモコン装置
６ ・・・ガス給湯器
７ ・・・住戸
８，９ ・・・芯ケーブル
１０、１１，１２ ・・・制御部
１３ ・・・信号線
２１ ・・・受信部
２２・・・ 文字情報分離部
２４・・・ ＣＰＵ 
２５ ・・・時計部
２６・・・ メモリ部
２７・・・ 表示部
３１・・・ 運転キー
３２・・・ 文字放送切替キー
３４・・・ 番組選択キー群
【図１】
2005123838.tif 000003
【図２】
2005123838.tif 000004
【図３】
2005123838.tif 000005
【図４】
2005123838.tif 000006
【図５】
2005123838.tif 000007
【図６】
2005123838.tif 000008
【図７】
2005123838.tif 000009
【図８】
2005123838.tif 000010